【手続補正書】
【提出日】平成16年12月3日(2004.12.3)
【手続補正１】
【補正対象書類名】明細書
【補正対象項目名】特許請求の範囲
【補正方法】変更
【補正の内容】
【特許請求の範囲】
【請求項１】
環境配慮設計用データベースを保有する環境評価者と複数のアッセンブリ製造業者との間で相互に締結した機密保持契約に基づいて上記製造業者の管理する端末と送受信するように接続される上記環境評価者の管理するサーバを用いて製造物の環境配慮設計を支援する方法において、
上記製造業者のアッセンブリ製品に関する部品構成及びそれらの材料・化学物質に基づいて構成されると共に上記製造業者の管理する上記端末から送信される部品リストファイルを、通信回線を介して上記サーバで受取り、
上記サーバが備えた上記環境配慮設計用データベースに基づいて上記サーバにより当該アッセンブリ製品の環境評価プロセスを実行し、
その評価結果を上記サーバから当該アッセンブリ製品の製造業者の管理する上記端末に通信回線を通じて送付する
ことを特徴とする製造物の環境配慮設計支援方法。
【請求項２】
当該製造業者の管理する上記端末で上記評価結果を考慮して当該アッセンブリ製品の環境配慮設計を実行することを特徴とする請求項１に記載された製造物の環境配慮設計支援方法。
【請求項３】
上記環境評価者の管理する上記サーバに、当該製造業者の当該アッセンブリ製品に関する原単位・重み係数データを、当該製造業者の管理する端末から取得し、もしくは保有しており、それを基礎にして当該アッセンブリ製品の環境影響評価を上記サーバで実行し、その評価結果を当該製造業者の管理する端末に提供することを特徴とする請求項１に記載された製造物の環境配慮設計支援方法。
【請求項４】
上記製造業者の管理する端末に、リサイクル処理業者の管理する端末からリサイクル処理に必要な情報を入手し、もしくは保有していることを特徴とする請求項１に記載された製造物の環境配慮設計支援方法。
【請求項５】
上記リサイクル処理に必要な情報は分解作業手順、処理費・処分費／能力、単価、分解時間、処理・処分内容を含むことを特徴とする請求項４に記載された製造物の環境配慮設計支援方法。
【請求項６】
上記環境評価者の保有する上記環境配慮設計用データベースに、少なくとも環境影響評価データベース、分解性／リサイクル性データベース及び環境配慮設計用データベースを保有することを特徴とする請求項１に記載された製造物の環境配慮設計支援方法。
【請求項７】
上記製造業者の設計部門の管理する端末から当該製造業者の環境管理部門の管理する端末に対し環境配慮設計用データを提供することを特徴とする請求項１に記載された製造物の環境配慮設計支援方法。
【請求項８】
上記製造業者の管理する端末に、部品・材料の供給者の管理する端末からその材料・化学物質に関する情報を取得することを特徴とする請求項１に記載された製造物の環境配慮設計支援方法。
【請求項９】
製造業者が保有するアッセンブリ製品に関する部品構成データ及びそれらの材料・化学物質データから部品リストファイルを作成する手段と、
この部品リストファイルをウエブ対応データに変換する手段と、
上記ウエブ対応データをリサイクル業者の管理する端末に通信回線を介して送出する手段と、
を備えることを特徴とするリサイクル支援情報提供システム。
【請求項１０】
アッセンブリ製品を製造する製造業者の当該アッセンブリ製品の設計データに基づく部品構成データ及び材料・化学物質データから部品リストファイルを作成する手段と、
この部品リストファイルをウエブ対応データに変換する手段と、
リサイクル業者の管理する端末に通信回線を介して、変換された部品リストファイルを送出する手段と、
を備えることを特徴とするリサイクル支援情報提供システム。
【請求項１１】
上記リサイクル業者のリサイクル工程データを当該リサイクル業者の管理する端末から通信回線を介して取得する手段を備えることを特徴とする請求項９または１０に記載されたリサイクル支援情報提供システム。
【請求項１２】
製造業者が保有するアッセンブリ製品に関する設計データに基づく部品構成データ及び材料・化学物質データから作成されると共に当該製造業者の管理する端末から送信される部品リストファイルを、通信回線を介してプロバイダの管理するリサイクル支援情報提供システムで受取り、
上記プロバイダの管理するリサイクル支援情報提供システムで上記部品リストファイルをウエブ対応データに変換し、
上記プロバイダの管理するリサイクル支援情報提供システムから上記ウエブ対応データを、通信回線を介してリサイクル業者の管理する端末に提供する
ことを特徴とするリサイクル支援情報提供方法。
【請求項１３】
上記プロバイダの管理するリサイクル支援情報提供システムで上記部品リストファイルと共に分解記録、検査／修理記録等の来歴データをウエブ対応データに変換し、上記プロバイダの管理するリサイクル支援情報提供システムから上記ウエブ対応データを、通信回線を介して上記リサイクル業者の管理する端末に提供することを特徴とする請求項１２に記載されたリサイクル支援情報提供方法。
【請求項１４】
上記製造業者の管理する端末で作成されたＣＡＤデータ及びリサイクル工程データを、通信回線を介して製造業者の管理する端末からプロバイダの管理するリサイクル支援情報提供システムに受信することを特徴とする請求項１２に記載されたリサイクル支援情報提供方法。
【請求項１５】
上記リサイクル業者の管理する端末から上記製造業者の管理する端末にリサイクル工程データを提供することを特徴とする請求項１２または１３に記載されたリサイクル支援情報提供方法。
【請求項１６】
上記プロバイダと上記複数の製造業者との間で予め締結された機密保持契約に基づいて上記プロバイダと上記複数の製造業者とを接続することを特徴とする請求項１２に記載されたリサイクル支援情報提供方法。
【請求項１７】
環境評価データベース及び評価ノウハウを保有する環境評価者と複数の製造業者との間で締結した秘密保持契約に基づいて上記製造業者の管理する端末と送受信するように接続される上記環境評価者の管理するサーバを用いて環境経営を支援する方法において、
上記製造業者の管理する端末から各製造業者のアッセンブリ製品に関する設計部門、製造部門及び環境管理部門の環境データを、通信回線を介して上記サーバで受取り、
上記サーバに備えられた上記環境評価データベースに基づいて上記サーバによる当該アッセンブリ製品の環境評価プロセスを実行し、
上記サーバから上記製造業者の管理する端末に上記評価結果を通信回線を介して送付する
ことを特徴とする環境経営支援方法。
【請求項１８】
上記製造業者の同意のもとに、上記サーバから上記評価結果をリサイクル業者の管理する端末または廃棄物処理業者の管理する端末に連絡することを特徴とする請求項１７に記載された環境経営支援方法。
【請求項１９】
経営支援を上記製造業者の企業または連結企業グループ単位で行うように上記サーバを上記製造業者の管理する端末と接続することを特徴とする請求項１７または１８に記載された環境経営支援方法。
【手続補正２】
【補正対象書類名】明細書
【補正対象項目名】００１３
【補正方法】変更
【補正の内容】
【００１３】
また、上述した従来技術では、製造業者が保有するアッセンブリ製品に関する部品構成及びそれらの材料・化学物質データから部品ファイルリストを作成した製品リサイクル情報をリサイクル業者に提供することについて示されておらず、環境に十分配慮した製品リサイクルを行うことが難しいという問題があった。
【手続補正３】
【補正対象書類名】明細書
【補正対象項目名】００１７
【補正方法】変更
【補正の内容】
【００１７】
【課題を解決するための手段】
上記目的を達成するための本発明による環境配慮設計支援方法の代表的な例においては、環境配慮設計用データベースを保有する環境評価者と複数のアッセンブリ製造業者との間で相互に締結した機密保持契約に基づいて上記製造業者の管理する端末と送受信するように接続される上記環境評価者の管理するサーバを用いて製造物の環境配慮設計を支援する方法において、上記製造業者のアッセンブリ製品に関する部品構成及びそれらの材料・化学物質に基づいて構成されると共に上記製造業者の管理する上記端末から送信される部品リストファイルを、通信回線を介して上記サーバで受取り、上記サーバが備えた上記環境配慮設計用データベースに基づいて上記サーバにより当該アッセンブリ製品の環境評価プロセスを実行し、その評価結果を上記サーバから当該アッセンブリ製品の製造業者の管理する上記端末に通信回線を通じて送付する、ように構成される。
【手続補正４】
【補正対象書類名】明細書
【補正対象項目名】００１８
【補正方法】変更
【補正の内容】
【００１８】
上記目的を達成するための本発明によるリサイクル支援情報提供システムの代表的な例においては、製造業者が保有するアッセンブリ製品に関する部品構成データ及びそれらの材料・化学物質データから部品リストファイルを作成する手段と、この部品リストファイルをウエブ対応データに変換する手段と、上記ウエブ対応データをリサイクル業者の管理する端末に通信回線を介して送出する手段と、
を備えている、ように構成される。
【手続補正５】
【補正対象書類名】明細書
【補正対象項目名】００１９
【補正方法】変更
【補正の内容】
【００１９】
上記目的を達成するための本発明によるリサイクル支援情報提供方法の代表的な例においては、製造業者が保有するアッセンブリ製品に関する設計データに基づく部品構成データ及び材料・化学物質データから作成されると共に当該製造業者の管理する端末から送信される部品リストファイルを、通信回線を介してプロバイダの管理するリサイクル支援情報提供システムで受取り、上記プロバイダの管理するリサイクル支援情報提供システムで上記部品リストファイルをウエブ対応データに変換し、上記プロバイダの管理するリサイクル支援情報提供システムから上記ウエブ対応データを、通信回線を介してリサイクル業者の管理する端末に提供する、ように構成される。
【手続補正６】
【補正対象書類名】明細書
【補正対象項目名】００２０
【補正方法】変更
【補正の内容】
【００２０】
上記目的を達成するための本発明による環境経営支援方法の代表的な例においては、環境評価データベース及び評価ノウハウを保有する環境評価者と複数の製造業者との間で締結した秘密保持契約に基づいて上記製造業者の管理する端末と送受信するように接続される上記環境評価者の管理するサーバを用いて環境経営を支援する方法において、上記製造業者の管理する端末から各製造業者のアッセンブリ製品に関する設計部門、製造部門及び環境管理部門の環境データを、通信回線を介して上記サーバで受取り、上記サーバに備えられた上記環境評価データベースに基づいて上記サーバによる当該アッセンブリ製品の環境評価プロセスを実行し、上記サーバから上記製造業者の管理する端末に上記評価結果を通信回線を介して送付する、ように構成される。
【手続補正７】
【補正対象書類名】明細書
【補正対象項目名】００４４
【補正方法】変更
【補正の内容】
【００４４】
設計情報作成システム４３ｄは、部品構成データベース４３ｆ、材料・化学物質データベース４３ｇ及びリサイクル工程データベース４３ｈのデータを用いて部品リストファイルの作成及び工程順データの作成を行うためのシステムであり、作成した部品リストファイル及び工程順データを環境経営情報センタサーバ２の自動変換システム２３に提供する。